(57)【要約】      （修正有）【課題】熟練や技能を要せず、容易に目地を作ることが可能な組積み盛り付け目地モルタル型枠を提供する。【解決手段】コンクリートブロックＡの組積材の上面に接合目地モルタルを盛り付けるための型枠であって組積材の正面外側と内側上面に載置される型枠１，２からなり、その両端同士を連結する一対の型枠３，３′と共に当該型枠を組積材の上面から所定高さ寸法ｈを突出させた状態で保持することを特徴とする。【選択図】図２
0003186723.tif 000002
【実用新案登録請求の範囲】
【請求項１】
コンクリートブロックの組積材の上面に接合目地モルタルを盛り付けるための型枠であって組積材の正面外側と内側上面に載置される型枠からなり、その両端同士を連結する一対の型枠と共に当該型枠を組積材の上面から所定高さ寸法ｈを突出させた状態で保持することを特徴とする組積み盛り付け目地モルタル型枠。
【請求項２】
枠体の外側長辺型枠部材は、コンクリートブロックＡの正面からこの型枠の固定を兼ねコンクリートブロックＡの上面より所定深さｈ´を有し、上面より所定高さｈだけを突出させることを特徴とする請求項１記載の組積み盛り付け目地型枠。
【請求項３】
枠体の内側長辺型枠部材は、外側長辺型枠部材と所定間隔離れ、外側長辺型枠部材と平行でコンクリートブロックＡの上面に載置された時平面視して短形の目地モルタル盛り付け用空間を形成するものであり、その下端面が上面と接して載置された所から所定高さ寸法ｈを突出させることを特徴とする請求項１〜２記載の組積み盛り付け目地モルタル型枠。
【請求項４】
枠体の短辺型枠部材は外側長辺型枠部材と内側長辺型枠部材の両端同士をそれぞれ連結固定して、すでに組積みあがっているブロックとの縦目地厚さを確保することを特徴とする請求項１〜３に記載の組積み盛り付け目地モルタル型枠。
【請求項５】
枠体の外側長辺型枠部材と内側長辺型枠部材をブロックＡの幅を中心にし左右対称に型枠を設置し接合目地モルタルを盛り付けることは、施工の手間と時間の短縮が図れる。短辺型枠部材はブロックＡの幅に対応し短辺型枠部材の幅を調整し固定することにより、複数建築用コンクリートブロックに対応することを特徴とした組積み盛り付け目地モルタル型枠。
【請求項６】
枠体の短辺型枠部材において、複数コンクリートブロックに対応し外側長辺型枠部材と内側長辺型枠部材とを調整版を使用することにより、外側長辺型枠部材、内側長辺型枠部材、短辺型枠部材を組み合わせることにより複数建築用コンクリートブロックに対応できることを特徴とした組積み盛り付け目地モルタル型枠。
【考案の詳細な説明】
【技術分野】
【０００１】
本考案は、組積み盛り付けモルタル型枠に関し、さらに詳細には、コンクリートブロックの組積材を積み上げて組積構造物を構造する際に用いられる目地形成用のモルタル型枠に関するものである。
【背景技術】
【０００２】
組積材を積み上げて築造する組積構造物は、門や塀、壁などの構造に広く摘要されている。この組積構造物に使用される組積材としては、一般にコンクリートブロックが知られている。これら組積材のうち、コンクリートブロック（以下、適宜ブロックとも言う）は構造上、空洞ブロックと称されたりするものがある。このような組積材を積み上げて施工する組積工事において、上段の組積材を積み上げる前に、下段の組積材の上面にモルタルが盛り付けられる。このモルタルによって上下段の組積材どうしが接着するとともに、両者間に目地が形成される。しかしながら、このモルタルの盛り付け作業は、以下に説明するように容易ではない。
【０００３】
例えば、組積材として空洞ブロックを使用する場合、この空洞ブロックには上下に開口する空洞部分が複数形成されていることから、モルタルが盛り付けられることとなるブロックの上面、すなわち上下段のブロックが重なり合う部分の面積は極めて狭少である。
【０００４】
左右のブロック間に形成される空隙部分にはモルタルを充填することが法律で義務付けられている。他方、ブロック自身の空洞部分にはモルタルを充填する必要はなく、このため一般には空洞部分を除いたブロック上面にのみモルタルを盛り付けている。しかしながら、このブロック上面は前記のように極めて狭小であり、したがって十分な注意を払いながら盛り付け作業をしても、モルタルが空洞部分や、ブロック周辺に落下してしまうのは避け難い状況にある。さらには、先々の目地形成を念頭において適度の厚みでモルタルを盛り付けるのは至難の技であり、結局のところはモルタルが空洞部分や周辺に落下したり汚したりをするのを無視して、いわゆる「てんこもり」状態に盛り付けているのが現状である。モルタルの盛り付け後は、その多めに盛り付けられたモルタルの上に、レベルと方向と水平性を合わせながら、空洞部分や周辺にモルタルがこぼれ落ちるのを無視して上段のブロックを積み上げ、必要な目地幅を出す。しかる後に、鏝でこの目地を仕上げてゆくのであるが、これには相当の技量と経験を要する。また、刷毛と水を使って必要箇所以外に付着したモルタルを除去し、丹念に仕上げるのであるが、これも多大な労力を要する。
【先行技術文献】
【特許文献】
【０００５】
【特許文献１】特開２００５−３６３８７号公報
【考案の概要】
【考案が解決しようとする課題】
【０００６】
従来の組積工法においては、上下の組積材の間に挟むモルタルの量や扱いに注意しながら、レベルと水平と方向性を求め、さらには綺麗な目地を作っていくことは相当な技術の習熟と長い経験が必要である。しかも、どんなに習熟した技術と経験を持った技能者であっても、その施工にはかなりの手間と時間を要し、ましてや技量の浅い技能者や素人にとってはなかなか習熟し難い困難があった。本考案が解決しようとする課題は、熟練や技能を要せず、容易に目地を作ることが可能な組積み盛り付け目地モルタル型枠を提供することである。
【課題を解決するための手段】
【０００７】
本考案は、コンクリートブロックの組積材の上面に、モルタルの接合目地材を盛り付けるための型枠であって、組積材の外側長辺に設置される枠体と内側長辺に載置される枠体と両端同士一対の短辺枠体からなり、該型枠を前記組積材の上面から所定高さ寸法を穴出させた状態で保持することを特徴とする。
本考案の第１は、コンクリートブロックの組積材の上面に接合目地モルタルを盛り付けるための型枠であって組積材の正面外側と内側上面に載置される型枠からなり、その両端同士を連結する一対の型枠と共に当該型枠を組積材の上面から所定高さ寸法ｈを突出させた状態で保持することを特徴とする組積み盛り付け目地モルタル型枠である。
【０００８】
本考案の第２は、枠体の外側長辺型枠部材は、コンクリートブロックＡの正面からこの型枠の固定を兼ねコンクリートブロックＡの上面より所定深さｈ´を有し、上面より所定高さｈだけを突出させることを特徴とする上記１記載の組積み盛り付け目地型枠。
【０００９】
本考案の第３は、枠体の内側長辺型枠部材は、外側長辺型枠部材と所定間隔離れ、外側長辺型枠部材と平行でコンクリートブロックＡの上面に載置された時平面視して短形の目地モルタル盛り付け用空間を形成するものであり、その下端面が上面と接して載置された所から所定高さ寸法ｈを突出させることを特徴とする上記１〜２の組積み盛り付け目地モルタル型枠である。
【００１０】
本考案の第４は、枠体の短辺型枠部材は外側長辺型枠部材と内側長辺型枠部材の両端同士をそれぞれ連結固定して、すでに組積みあがっているブロックとの縦目地厚さを確保することを特徴とする上記１〜３の組積み盛り付け目地モルタル型枠。
【００１１】
本考案の第５は、枠体の外側長辺型枠部材と内側長辺型枠部材をブロックＡの幅を中心にし左右対称に型枠を設置し接合目地モルタルを盛り付けることは、施工の手間と時間の短縮が図れる。短辺型枠部材はブロックＡの幅に対応し短辺型枠部材の幅を調整し固定することにより、複数建築用コンクリートブロックに対応することを特徴とした組積み盛り付け目地モルタル型枠である。
【００１２】
本考案の第６は、枠体の短辺型枠部材において、複数コンクリートブロックに対応し外側長辺型枠部材と内側長辺型枠部材とを調整版を使用することにより、外側長辺型枠部材、内側長辺型枠部材、短辺型枠部材を組み合わせることにより複数建築用コンクリートブロックに対応できることを特徴とした組積み盛り付け目地モルタル型枠である。
【考案の効果】
【００１３】
本考案の組積み盛り付け目地モルタル型枠は、熟練者でなければ困難な接合目地モルタル量を最適、最小限に抑え、周辺にこぼれ落ちるのを防ぎ、施工の手間と時間の短縮が図れ併せ仕上げ作業もごく簡略なものとすることが出来るという利点がある。
【図面の簡単な説明】
【００１４】
【図１】図１はこの考案の第１の実施形態を示す斜視図である。
【図２】図２は図１のイ−イ´線に沿った第１、第２の長辺型枠部材の断面図である。
【図３】図３は図１のロ−ロ´線に沿った第３の短辺型枠部材の断面図である。
【図４】図４はこの考案の第２実施形態を示す斜視図である。
【図５】図５は図４のイ−イ´腺に沿った第１、第２の長辺型枠部材の断面図である。
【図６】図６は図４のロ−ロ´線に沿った第３の短辺型枠部材の断面図である。
【図７】図７は第２実施形態傾斜図に沿った調整版の断面図である。
【考案を実施するための形態】
【００１５】
以下、本考案を図面を用いて詳細に説明する。
図１は、第1実施形態を示す斜視図である。この実施形態は、組積材として空洞ブロックＡを使用する場合の例である。空洞ブロックＡは上下面に開口する複数の空洞部分Ｂを有するブロックであり、側面には窪みＣを有している。第１の長辺型枠部材１と第２の長辺型枠部材２及び第３の短辺型枠部材３  ３´とで構成されている。第１の長辺型枠部材１、第２の長辺型枠部材２、第３の短辺型枠部材３  ３´の型枠部材は板状に加工して作られるが、その材質は金属、プラスチック、木材など何でも良い。
【００１６】
図２は第１の長辺型枠部材１の断面イ−イ´で示すように、第１の長辺型枠部材１はブロックＡの正面から外側長辺型枠部材の固定を兼ねブロックＡの正面から下側に所定深さ寸法ｈ´を位置させ、上面から所定高さ寸法ｈだけ突出させる型枠から形成されている。
【００１７】
図２は第２の長辺型枠部材２の断面イ−イ´で示すように、第２の長辺型枠部材２は内側長辺型枠部材からなりブロックＡの空洞Ｂの縁の上面から所定高さ寸法ｈだけ突出させモルタル幅が十分に確保できる型枠から形成されている。
【００１８】
この高さ寸法ｈはモルタルの盛り付け高さであり、後に上段のブロックを積み上げた際の沈み込みを考慮して目地幅よりも幾分か大きく設定されている。第１の長辺型枠部材１がブロックＡの側面に沿っていること、第２の長辺型枠部材２はブロックＡの空洞Ｂの縁一杯に設置されることでモルタル幅が十分に確保され、先々の目地形成を容易にしている。
【００１９】
図３は第３の短辺型枠部材の断面ロ−ロ´で示すように、第３の短辺型枠部材は両端短辺型枠部材３  ３´からなり第１の長辺型枠部材１、第２の長辺型枠部材２の両端同士をそれぞれ連結固定する一対の短辺型枠部材であって短辺型枠部材の高さはブロックＡの上面より所定高さ寸法ｈ、上面より所定深さ寸法ｈ´を、幅については第１の長辺型枠部材１、第２の長辺型枠部材２の部材幅とブロックＡのモルタル盛り付け幅を取る。
【００２０】
図４は第１の長辺型枠部材１第２の長辺型枠部材２をブロックＡの幅を中心に左右対称に型枠を設置すると第１の長辺型枠部材１´第２の長辺型枠部材２´となる第３の短辺型枠部材３  ３´の幅は図６の断面ロ−ロ´で示すようにブロックＡの幅により調整し固定する。図５、６についての詳細説明は、前出の図２、３と同様のため省略する。
【００２１】
図７は第１の長辺型枠部材１、第２の長辺型枠部材２、第３の短辺型枠部材３  ３´と第１の長辺型枠部材１´第２の長辺型枠部材２´、第４の短辺型枠部材４  ４´、５  ５´を調整版として使用し組み合わせることにより各種建築用ブロックに対応できる。
【００２２】
次に上記型枠の使用状態について説明する。図２に示すように、モルタルを盛り付けようとしている下段ブロックＡに第１の長辺型枠部材１、第２の長辺型枠部材２、第３の短辺型枠部材３  ３´を載置し、上下段のブロックが重なり合う部分のみによって定まる盛り付け空間が区画される。この盛り付け空間にモルタルを盛り付け、鏝を使って均す。均し作業を終えた後、上段のブロックを積み上げてレベルと方向と水平を求める。
【００２３】
このように、第１、第２及び第３  ３´の型枠部材によって、ブロックＡの上面に所要の盛り付け空間が区画形成され突出高さが等しく、作業者はこの盛り付け空間にモルタルを盛り付け、鏝を第１、第２及び第３  ３´の上面に載せて移動させることにより均し作業を容易に行うことができ熟練を要することなく、作業を極めて簡単に行うことができる。
【産業上の利用可能性】
【００２４】
技術の困難さと煩雑さが組積造工法の普及を妨げているとともに、工費の高騰をもたらしている。さらには建築工法の選択肢を狭め、組積工法の伝承を途絶えさせ、しかも組積工法を愛する素人といわれる人々から自らがブロックを積み上げて建造物を作る楽しみを奪っているが、本考案を使用すれば多くの人々にブロック積みを普及でき、専門職への短期間での就業、コンクリートブロックの使用量の拡大が期待できる。
【符号の説明】
【００２５】
１  第１の外側長辺型枠部材
２  第２の内側長辺型枠部材
３  第３の短辺型枠部材
Ａ  空洞コンクリートブロック
Ｂ  空洞部分
Ｃ  空隙部分
【図１】
0003186723.tif 000003
【図２】
0003186723.tif 000004
【図３】
0003186723.tif 000005
【図４】
0003186723.tif 000006
【図５】
0003186723.tif 000007
【図６】
0003186723.tif 000008
【図７】
0003186723.tif 000009
【手続補正書】
【提出日】平成25年8月19日(2013.8.19)
【手続補正１】
【補正対象書類名】実用新案登録請求の範囲
【補正対象項目名】全文
【補正方法】変更
【補正の内容】
【実用新案登録請求の範囲】
【請求項１】
コンクリートブロックの組積材の上面に接合目地モルタルを盛り付けるための型枠であって組積材の正面外側と内側上面に載置される型枠からなり、その両端同士を連結する一対の型枠と共に当該型枠を組積材の上面から所定高さ寸法ｈを突出させた状態で保持することを特徴とする組積み盛り付け目地モルタル型枠。
【請求項２】
枠体の外側長辺型枠部材は、コンクリートブロックＡの正面からこの型枠の固定を兼ねコンクリートブロックＡの上面より所定深さｈ´を有し、上面より所定高さｈだけを突出させることを特徴とする請求項１記載の組積み盛り付け目地モルタル型枠。
【請求項３】
枠体の内側長辺型枠部材は、外側長辺型枠部材と所定間隔離れ、外側長辺型枠部材と平行でコンクリートブロックＡの上面に載置された時平面視して短形の目地モルタル盛り付け用空間を形成するものであり、その下端面が上面と接して載置された所から所定高さ寸法ｈを突出させることを特徴とする請求項１または２に記載の組積み盛り付け目地モルタル型枠。
【請求項４】
枠体の短辺型枠部材は外側長辺型枠部材と内側長辺型枠部材の両端同士をそれぞれ連結固定して、すでに組積みあがっているブロックとの縦目地厚さを確保することを特徴とする請求項１〜３のいずれか一項に記載の組積み盛り付け目地モルタル型枠。
【請求項５】
枠体の外側長辺型枠部材と内側長辺型枠部材をブロックＡの幅を中心にし左右対称に型枠を設置し接合目地モルタルを盛り付けるに際し、短辺型枠部材をブロックＡの幅に対応し短辺型枠部材の幅に調整し固定することにより、複数建築用コンクリートブロックに対応することを特徴とした請求項１〜４のいずれか一項に記載の組積み盛り付け目地モルタル型枠。
【請求項６】
枠体の短辺型枠部材において、複数コンクリートブロックに対応し外側長辺型枠部材と内側長辺型枠部材とを調整版を使用することにより、外側長辺型枠部材、内側長辺型枠部材、短辺型枠部材を組み合わせることにより複数建築用コンクリートブロックに対応できることを特徴とした請求項５に記載の組積み盛り付け目地モルタル型枠。
【手続補正２】
【補正対象書類名】明細書
【補正対象項目名】０００８
【補正方法】変更
【補正の内容】
【０００８】
本考案の第２は、枠体の外側長辺型枠部材は、コンクリートブロックＡの正面からこの型枠の固定を兼ねコンクリートブロックＡの上面より所定深さｈ´を有し、上面より所定高さｈだけを突出させることを特徴とする請求項１記載の組積み盛り付け目地モルタル型枠である。
【手続補正３】
【補正対象書類名】明細書
【補正対象項目名】０００９
【補正方法】変更
【補正の内容】
【０００９】
本考案の第３は、枠体の内側長辺型枠部材は、外側長辺型枠部材と所定間隔離れ、外側長辺型枠部材と平行でコンクリートブロックＡの上面に載置された時平面視して短形の目地モルタル盛り付け用空間を形成するものであり、その下端面が上面と接して載置された所から所定高さ寸法ｈを突出させることを特徴とする請求項１または２に記載の組積み盛り付け目地モルタル型枠である。
【手続補正４】
【補正対象書類名】明細書
【補正対象項目名】００１０
【補正方法】変更
【補正の内容】
【００１０】
本考案の第４は、枠体の短辺型枠部材は外側長辺型枠部材と内側長辺型枠部材の両端同士をそれぞれ連結固定して、すでに組積みあがっているブロックとの縦目地厚さを確保することを特徴とする請求項１〜３のいずれか一項に記載の組積み盛り付け目地モルタル型枠。
【手続補正５】
【補正対象書類名】明細書
【補正対象項目名】００１１
【補正方法】変更
【補正の内容】
【００１１】
枠体の外側長辺型枠部材と内側長辺型枠部材をブロックＡの幅を中心にし左右対称に型枠を設置し接合目地モルタルを盛り付けるに際し、短辺型枠部材をブロックＡの幅に対応し短辺型枠部材の幅に調整し固定することにより、複数建築用コンクリートブロックに対応することを特徴とした請求項１〜４のいずれか一項に記載の組積み盛り付け目地モルタル型枠である。
【手続補正６】
【補正対象書類名】明細書
【補正対象項目名】００１２
【補正方法】変更
【補正の内容】
【００１２】
枠体の短辺型枠部材において、複数コンクリートブロックに対応し外側長辺型枠部材と内側長辺型枠部材とを調整版を使用することにより、外側長辺型枠部材、内側長辺型枠部材、短辺型枠部材を組み合わせることにより複数建築用コンクリートブロックに対応できることを特徴とした請求項５に記載の組積み盛り付け目地モルタル型枠である。